(57)【要約】【課題】            折り畳まれた便座シートにはシートを一枚ずつ摘んで取り出すことが容易な段違い部が形成され、多数重ねた折り畳みシートに一括して排便口を打ち抜き形成した場合でも中心部に排便口が形成された便座シートを提供する。【解決手段】        縦中心基線Ｘ１と平行な縦シート縁辺２ａ，２ａと、横中心基線Ｙと平行な横シート縁辺３ａ，３ｂをもつ実質的に矩形なシートから成り、一方の前記横シート縁辺に中間凹部縁辺４を形成し、他方の前記横シート縁辺に中間凸部縁辺８を形成し、このシートに前記縦中心基線と横中心基線を基準にしてそれぞれ対称で両基線の交点を開口中心とする排便口１２を形成し、前記縦中心基線を縦折れ線Ｌ１として二つ折り前記横中心基線を横折れ線Ｌ２として四つ折り状態に折り畳まれた便座シートは、前記中間凹部縁辺４が背後にある前記中間凸部縁辺８に対して低い段違い構造に成る。【選択図】          図１
2005081063.tif 000002
【特許請求の範囲】
【請求項１】
便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記縦中心基線（Ｘ１）を縦折れ線（Ｌ１）として二つ折りされ更に前記横中心基線（Ｙ）を横折れ線（Ｌ２）として二つ折りされて四つ折り状態に折り畳まれており、この四つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０）が該両端凹部縁辺の背後にある前記両端凸部縁辺（６）に対して低い段違い構造に成ることを特徴とする便座シート。
【請求項２】
便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記横中心基線（Ｙ）を横折れ線（Ｌ２）として二つ折り状態に折り畳まれており、この二つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０，１０）が該両端凹部縁辺の背後にある前記両端凸部縁辺（６，６）に対して低い段違い構造に成ることを特徴とする便座シート。
【請求項３】
便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用中間凸部（９）の横幅方向の両端は前記縦中心基線（Ｘ１）と前記両縦シート縁辺（２ａ，２ａ）との各中心でこれらの両辺と平行な２本の第２縦中心基線（Ｘ２，Ｘ２）を超える外側位置まで延設され、前記段違い部形成用中間凹み部（５）の横幅方向の両端は２本の前記第２縦中心基線を超える外側位置まで凹まされており、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記縦中心基線（Ｘ１）を縦折れ線（Ｌ１）として二つ折りされ更に前記横中心基線（Ｙ）を横折れ線（Ｌ２）として二つ折りされて四つ折り状態に折り畳まれており、この四つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０）が該両端凹部縁辺の背後にある前記両端凸部縁辺（６）に対して低い段違い構造に成り、且つこの配列状態で便座シートを吊り下げる場合に機能する吊り下げ用貫通孔（１３）を前記段違い部形成用中間凸部（９）の前記第２縦中心基線（Ｘ２）上又はその付近に形成したことを特徴とする便座シート。
【請求項４】
便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用中間凸部（９）の横幅方向の両端は前記縦中心基線（Ｘ１）と前記両縦シート縁辺（２ａ，２ａ）との各中心でこれらの両辺と平行な２本の第２縦中心基線（Ｘ２，Ｘ２）を超える外側位置まで延設され、前記段違い部形成用中間凹み部（５）の横幅方向の両端は２本の前記第２縦中心基線を超える外側位置まで凹まされており、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記横中心基線（Ｙ）を横折れ線（Ｌ２）として二つ折り状態に折り畳まれており、この二つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０，１０）が該両端凹部縁辺の背後にある前記両端凸部縁辺（６，６）に対して低い段違い構造に成り、且つこの配列状態で便座シートを吊り下げる場合に機能する横幅方向に離間させた複数の吊り下げ用貫通孔（１３）を前記段違い部形成用中間凸部（９）の前記第２縦中心基線（Ｘ２）上又はその付近に形成したことを特徴とする便座シート。
【請求項５】
便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用両端凸部（７，７）の横幅方向の両内側端は前記縦中心基線（Ｘ１）と前記両縦シート縁辺（２ａ，２ａ）との各中心でこれらの両辺と平行な２本の第２縦中心基線（Ｘ２，Ｘ２）を超える内側位置まで延設され、前記段違い部形成用両端凹み部（１１，１１）の横幅方向の両内側端は２本の前記第２縦中心基線を超える内側位置まで凹まされており、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記縦中心基線（Ｘ１）を縦折れ線（Ｌ１）として二つ折りされ更に前記横中心基線（Ｙ）を横折れ線（Ｌ２）として二つ折りされて四つ折り状態に折り畳まれており、この四つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０）が該両端凹部縁辺の背後にある前記両端凸部縁辺（６）に対して低い段違い構造に成り、且つこの配列状態で便座シートを吊り下げる場合に機能する吊り下げ用貫通孔（１３）を前記段違い部形成用両端凸部（７，７）の前記第２縦中心基線（Ｘ２）上又はその付近に形成したことを特徴とする便座シート。
【請求項６】
便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用両端凸部（７，７）の横幅方向の両内側端は前記縦中心基線（Ｘ１）と前記両縦シート縁辺（２ａ，２ａ）との各中心でこれらの両辺と平行な２本の第２縦中心基線（Ｘ２，Ｘ２）を超える内側位置まで延設され、前記段違い部形成用両端凹み部（１１，１１）の横幅方向の両内側端は２本の前記第２縦中心基線を超える内側位置まで凹まされており、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記横中心基線（Ｙ）を横折れ線（Ｌ２）として二つ折り状態に折り畳まれており、この二つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０，１０）が該両端凹部縁辺の背後にある前記両端凸部縁辺（６，６）に対して低い段違い構造に成り、且つこの配列状態で便座シートを吊り下げる場合に機能する横幅方向に離間させた複数の吊り下げ用貫通孔（１３）を前記段違い部形成用両端凸部（７，７）の前記第２縦中心基線（Ｘ２）上又はその付近に形成したことを特徴とする便座シート。
【請求項７】
便座に敷かれる展開状態において、前記中間凸部縁辺（８）の両側部辺（８ｂ，８ｂ）をハ字状に傾斜させて前記段違い部形成用中間凸部（９）を台形状に形成すると共に、前記中間凹部縁辺（４）の両側部辺（４ｂ，４ｂ）をハ字状に傾斜させて前記段違い部形成用中間凹み部（５）を前記段違い部形成用中間凸部と同形な台形状の凹みに形成したことを特徴とする請求項１から６のいずれかに記載の便座シート。
【発明の詳細な説明】
【技術分野】
【０００１】
本発明は、洋式便器の便座上に敷設する紙製の便座シートに関するものである。
【背景技術】
【０００２】
縦長楕円状の便座開口部と縦長のほぼ楕円形状の便座外縁部を有する便座に敷いて使用される便座シートは、一般的には縦長の矩形状に形成されている。この縦長矩形状の便座シートは便座に敷かれる展開状態では広いシート面を有していることから、便座に敷かれる前には二つ折り好ましくは四つ折り状態に折り畳まれ、この折り畳まれた便座シートを多数重ねてトイレ内の壁に縦置き状態に取り付けられた取出し容器内に吊り下げて収容し、この取出し容器の前面に形成された取出し口から一枚ずつ取り出して使用している。折り畳まれた便座シートは、容器の取出し口から一枚ずつ取り出し易くするために、縦長矩形状の横中心線からズラした横折れ線に沿って縦方向に段違い折りし、段違いに折り畳まれた短いほうのシート縁辺を手前に配列し且つ短いほうのシート縁辺を容器の取り出し口に臨ませて収容し、取出し口に臨ませた短いほうのシート縁辺を摘んで一枚ずつ容易に取り出せるようにしている。
【０００３】
また、縦長矩形のシート面を有する便座シートの中心部には縦長楕円状の便座開口部に合う縦長楕円状の排便口が形成されている。この縦長楕円状の排便口は縦長矩形状の便座シートの中心部に形成されているが、これは便座開口部が便座外縁部の中心位置すなわち便座の中心位置に形成されていることから、この便座全体に敷かれる便座シートも排便口を便座シートの中心位置に設けることが自然であり、便座シートを便座全体に敷く際に便座シートの排便口を便座開口部に一致させ易いという経験的な理由によるものである。
【０００４】
図６．１に便座に敷かれる展開状態を、図６．２に便座に敷かれる前の四つ折り状態を示した従来の便座シートは、取出し容器内に収容された便座シートを取出し口から一枚ずつ取り出し易くするために段違いに折り畳み、且つ便座シートの中心部に排便口を形成したもので、今日まで広く使用されているものである。この便座シートは、縦中心基線Ｘを縦折れ線Ｌ１として二つ折りされたシートを横中心基線Ｙから縦方向にズラした横折れ線Ｌ２に沿って二つ折りして四つ折りにしているがこの四つ折りにする際に横中心基線Ｙからズラした横折れ線Ｌ２で折り畳むため、便座シートの中心部に形成された排便口１２が四つ折り状態において実線と破線で示したように一致しない。このため、この便座シートでは、排便口１２を形成してから段違いに折り畳まなければならず、段違いに折り畳んでから排便口１２を打ち抜き形成することができない。したがって、この便座シートでは、四つ折り状態に折り畳まれた多数のシートを重ね、これら重ねられた折り畳みシートに一括して排便口を打ち抜き形成することができない。
【０００５】
図７．１に便座に敷かれる展開状態を、図７．２に便座に敷かれる前の四つ折り状態を示した便座シートは、取出し容器内に収容された便座シートを取出し口から一枚ずつ取り出し易くするために段違いに折り畳み、且つ段違い折りされた折り畳みシートを多数重ねてこれらに一括して排便口を打ち抜き形成したものである。しかし、このタイプの便座シートは、横中心基線Ｙから縦方向にズレた横折れ線Ｌ２を基準にして対称な排便口１２が形成されるため、この排便口１２が便座シートの中心位置から縦長方向にズレてしまい、排便口１２を便座シートの中心部に形成するという目的を達成できない。
【特許文献１】特許第３４２０１１１号公報
【発明の開示】
【発明が解決しようとする課題】
【０００６】
本発明は、便座に敷かれる展開状態では実質的に縦長矩形状のシート面を有し、このシート面の中心部に排便口を形成してあり、便座に敷かれる前には二つ折り又は四つ折りに折り畳まれた便座シートであって、この折り畳み便座シートには取出し容器の取出し口から便座シートを一枚ずつ摘んで取り出すことが容易な段違い部が形成され、しかも、多数重ねた折り畳みシートに一括して排便口を打ち抜き形成して便座シートを形成した場合であっても、この便座シートの中心部に排便口が形成された便座シートを提供することを目的とするものである。
【課題を解決するための手段】
【０００７】
本発明は上記の課題を解決するため、便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記縦中心基線（Ｘ１）を縦折れ線（Ｌ１）として二つ折りされ更に前記横中心基線（Ｙ）を横折れ線（Ｌ２）として二つ折りされて四つ折り状態に折り畳まれており、この四つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０）が該両端凹部縁辺の背後にある前記両端凸部縁辺（６）に対して低い段違い構造に成ることをとする便座シートを提供する。
【０００８】
また、本発明は上記の課題を解決するため、便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記横中心基線（Ｙ）を横折れ線（Ｌ２）として二つ折り状態に折り畳まれており、この二つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０，１０）が該両端凹部縁辺の背後にある前記両端凸部縁辺（６，６）に対して低い段違い構造に成ることを特徴とする便座シートを提供する。
【０００９】
また、本発明は上記の課題を解決するため、便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用中間凸部（９）の横幅方向の両端は前記縦中心基線（Ｘ１）と前記両縦シート縁辺（２ａ，２ａ）との各中心でこれらの両辺と平行な２本の第２縦中心基線（Ｘ２，Ｘ２）を超える外側位置まで延設され、前記段違い部形成用中間凹み部（５）の横幅方向の両端は２本の前記第２縦中心基線を超える外側位置まで凹まされており、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記縦中心基線（Ｘ１）を縦折れ線（Ｌ１）として二つ折りされ更に前記横中心基線（Ｙ）を横折れ線（Ｌ２）として二つ折りされて四つ折り状態に折り畳まれており、この四つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０）が該両端凹部縁辺の背後にある前記両端凸部縁辺（６）に対して低い段違い構造に成り、且つこの配列状態で便座シートを吊り下げる場合に機能する吊り下げ用貫通孔（１３）を前記段違い部形成用中間凸部（９）の前記第２縦中心基線（Ｘ２）上又はその付近に形成したことを特徴とする便座シートを提供する。
【００１０】
また、本発明は上記の課題を解決するため、便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用中間凸部（９）の横幅方向の両端は前記縦中心基線（Ｘ１）と前記両縦シート縁辺（２ａ，２ａ）との各中心でこれらの両辺と平行な２本の第２縦中心基線（Ｘ２，Ｘ２）を超える外側位置まで延設され、前記段違い部形成用中間凹み部（５）の横幅方向の両端は２本の前記第２縦中心基線を超える外側位置まで凹まされており、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記横中心基線（Ｙ）を横折れ線（Ｌ２）として二つ折り状態に折り畳まれており、この二つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０，１０）が該両端凹部縁辺の背後にある前記両端凸部縁辺（６，６）に対して低い段違い構造に成り、且つこの配列状態で便座シートを吊り下げる場合に機能する横幅方向に離間させた複数の吊り下げ用貫通孔（１３）を前記段違い部形成用中間凸部（９）の前記第２縦中心基線（Ｘ２）上又はその付近に形成したことを特徴とする便座シートを提供する。
【００１１】
また、本発明は上記の課題を解決するため、便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用両端凸部（７，７）の横幅方向の両内側端は前記縦中心基線（Ｘ１）と前記両縦シート縁辺（２ａ，２ａ）との各中心でこれらの両辺と平行な２本の第２縦中心基線（Ｘ２，Ｘ２）を超える内側位置まで延設され、前記段違い部形成用両端凹み部（１１，１１）の横幅方向の両内側端は２本の前記第２縦中心基線を超える内側位置まで凹まされており、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記縦中心基線（Ｘ１）を縦折れ線（Ｌ１）として二つ折りされ更に前記横中心基線（Ｙ）を横折れ線（Ｌ２）として二つ折りされて四つ折り状態に折り畳まれており、この四つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０）が該両端凹部縁辺の背後にある前記両端凸部縁辺（６）に対して低い段違い構造に成り、且つこの配列状態で便座シートを吊り下げる場合に機能する吊り下げ用貫通孔（１３）を前記段違い部形成用両端凸部（７，７）の前記第２縦中心基線（Ｘ２）上又はその付近に形成したことを特徴とする便座シートを提供する。
【００１２】
また、本発明は上記の課題を解決するため、便座に敷設する広さのシート面を有する紙製の便座シート（１）であり、この便座シートは、便座に敷かれる展開状態において、縦中心基線（Ｘ１）と平行で且つこの縦中心基線から同じ横幅長さとしたシートの横幅長さを画成する縦シート縁辺（２ａ，２ａ）と、前記縦中心基線と直交する横中心基線（Ｙ）と平行で且つこの横中心基線から同じ縦幅長さとしたシートの縦幅長さを画成する横シート縁辺（３ａ，３ｂ）をもつ実質的に矩形なシート面を有するシートから成り、一方の前記横シート縁辺（３ａ）の中間部にこの横シート縁辺より前記横中心基線からの縦幅長さを短くした中間凹部縁辺（４）の底部辺（４ａ）をもつ段違い部形成用中間凹み部（５）を形成すると共に該中間凹部縁辺に連続する両端側に該横シート縁辺を両端凸部縁辺（６，６）の頂部辺（６ａ，６ａ）とした段違い部形成用両端凸部（７，７）を形成し、他方の前記横シート縁辺（３ｂ）の中間部にこの横シート縁辺を中間凸部縁辺（８）の頂部辺（８ａ）とした段違い部形成用中間凸部（９）を形成すると共に該中間凸部縁辺に連続する両端側に該横シート縁辺より前記横中心基線からの縦幅長さを短くした両端凹部縁辺（１０，１０）の底部辺（１０ａ，１０ａ）をもつ段違い部形成用両端凹み部（１１，１１）を形成してあり、前記段違い部形成用両端凸部（７，７）の横幅方向の両内側端は前記縦中心基線（Ｘ１）と前記両縦シート縁辺（２ａ，２ａ）との各中心でこれらの両辺と平行な２本の第２縦中心基線（Ｘ２，Ｘ２）を超える内側位置まで延設され、前記段違い部形成用両端凹み部（１１，１１）の横幅方向の両内側端は２本の前記第２縦中心基線を超える内側位置まで凹まされており、前記段違い部形成用中間凹み部と段違い部形成用両端凸部をもつ一方の前記横シート縁辺（３ａ）と前記段違い部形成用中間凸部と段違い部形成用両端凹み部をもつ他方の前記横シート縁辺（３ｂ）とは両辺が同じカット線形状に形成されていて、前記縦中心基線（Ｘ１）を基準にして左右対称に形成されており、このシートに前記縦中心基線と横中心基線との交点を開口中心とする排便口（１２）を形成してあり、この排便口は前記縦中心基線（Ｘ１）を基準にして左右対称で且つ前記横中心基線（Ｙ）を基準にして上下対称に形成したものであって、この便座シートは便座に敷かれる前の折り畳み状態においては、前記横中心基線（Ｙ）を横折れ線（Ｌ２）として二つ折り状態に折り畳まれており、この二つ折り状態に折り畳まれた便座シートは、前記横シート縁辺（３ａ，３ｂ）側を上方に前記横折れ線（Ｌ２）側を下方にした配列状態で配列された場合に、前記中間凹部縁辺（４）が該中間凹部縁辺の背後にある前記中間凸部縁辺（８）に対して低い段違い構造に成り、又は前記両端凹部縁辺（１０，１０）が該両端凹部縁辺の背後にある前記両端凸部縁辺（６，６）に対して低い段違い構造に成り、且つこの配列状態で便座シートを吊り下げる場合に機能する横幅方向に離間させた複数の吊り下げ用貫通孔（１３）を前記段違い部形成用両端凸部（７，７）の前記第２縦中心基線（Ｘ２）上又はその付近に形成したことを特徴とする便座シートを提供する。
【００１３】
また、本発明は上記解決手段で提供された便座シートを、便座に敷かれる展開状態において、前記中間凸部縁辺（８）の両側部辺（８ｂ，８ｂ）をハ字状に傾斜させて前記段違い部形成用中間凸部（９）を台形状に形成すると共に、前記中間凹部縁辺（４）の両側部辺（４ｂ，４ｂ）をハ字状に傾斜させて前記段違い部形成用中間凹み部（５）を前記段違い部形成用中間凸部と同形な台形状の凹みに形成したことを特徴とする便座シートを提供するものである。
【発明の効果】
【００１４】
本発明の便座シートは、便座に敷かれる展開状態では、実質的に縦長矩形状のシート面を有し、この実質的に縦長矩形状のシート面の中心部に排便口が形成され、便座に敷かれる前には二つ折り又は四つ折りの折り畳み状態に折り畳まれていて、この折り畳み状態の便座シートには段違い部が形成され、この段違い部が形成された折り畳み状態の便座シートを取出し容器の取出し口から一枚ずつ摘んで取り出すことが容易であり、しかも、二つ折り又は四つ折りの折り畳み状態に折り畳まれた折り畳みシートを多数枚重ねてこれらに一括して排便口を打ち抜き形成して便座シートを形成する場合であっても、中心部に排便口が形成された便座シートと成るものである。
【発明を実施するための最良の形態】
【００１５】
先ず、発明を実施するための最良の形態を示す図１から図２の便座シートに従って本発明を説明する。図１は便座に敷かれる展開状態の便座シートを示し、図２．１及び図２．２は図１の便座シートの便座敷設前の四つ折り折り畳み状態をそれぞれ他面側から看た状態を示している。
【００１６】
この便座シート１は、便座に敷設する広さのシート面を有する紙製のシートであり、この便座シート１は、便座に敷かれる展開状態において、縦中心基線Ｘ１と平行で且つこの縦中心基線Ｘ１から同じ横幅長さとしたシートの横幅長さを画成する縦シート縁辺２ａ，２ａと、前記縦中心基線Ｘ１と直交する横中心基線Ｙと平行で且つこの横中心基線Ｙから同じ縦幅長さとしたシートの縦幅長さを画成する横シート縁辺３ａ，３ｂをもつ実質的に矩形なシート面を有している。ちなみに、図に示した便座シート１は、このシートの横幅長さを画成する縦シート縁辺２ａ，２ａで画成されたシートの横幅長さを３７ｃｍ、シートの縦幅長さを画成する横シート縁辺３ａ，３ｂで画成されたシートの縦幅長さを４４ｃｍとしているが、本発明の便座シートがこの寸法に限定されないことはもちろんである。
【００１７】
前記横シート縁辺３ａ，３ｂのうち、一方の前記横シート縁辺３ａの中間部にこの横シート縁辺３ａより前記横中心基線Ｙからの縦幅長さを約４ｃｍ短くした中間凹部縁辺４の底部辺４ａをもつ段違い部形成用中間凹み部５を形成すると共に該中間凹部縁辺４に連続する両端側に該横シート縁辺３ａを両端凸部縁辺６，６の頂部辺６ａ，６ａとした段違い部形成用両端凸部７，７を形成し、他方の前記横シート縁辺３ｂの中間部にこの横シート縁辺３ｂを中間凸部縁辺８の頂部辺８ａとした段違い部形成用中間凸部９を形成すると共に該中間凸部縁辺８に連続する両端側に該横シート縁辺３ｂより前記横中心基線Ｙからの縦幅長さを約４ｃｍ短くした両端凹部縁辺１０，１０の底部辺１０ａ，１０ａをもつ段違い部形成用両端凹み部１１，１１を形成してある。前記した約４ｃｍの寸法差は段違い部の段差寸法となるものであり、特にこの寸法差に限定されるものではないが、この程度の寸法差を与えることが摘んで取り出す目的からみて好ましいものである。
【００１８】
前記段違い部形成用中間凸部９の横幅方向の両端は前記縦中心基線Ｘ１と前記両縦シート縁辺２ａ，２ａとの各中心でこれらの両辺と平行な２本の第２縦中心基線Ｘ２，Ｘ２を超える外側位置まで延設され、前記段違い部形成用中間凹み部５の横幅方向の両端は２本の前記第２縦中心基線Ｘ２，Ｘ２を超える外側位置まで凹まされている。
【００１９】
また、前記中間凸部縁辺８の両側部辺８ｂ，８ｂをハ字状に傾斜させて前記段違い部形成用中間凸部９を台形状に形成すると共に、前記中間凹部縁辺４の両側部辺４ｂ，４ｂをハ字状に傾斜させて前記段違い部形成用中間凹み部５を前記段違い部形成用中間凸部９と同形な台形状の凹みに形成してある。
【００２０】
前記段違い部形成用中間凹み部５と段違い部形成用両端凸部７，７をもつ一方の前記横シート縁辺３ａと前記段違い部形成用中間凸部９と段違い部形成用両端凹み部１１，１１をもつ他方の前記横シート縁辺３ｂとは両辺が同じカット線形状に形成されていて、便座シートのシート形状は前記縦中心基線Ｘ１を基準にして左右対称に形成されている。
【００２１】
このシートに前記縦中心基線Ｘ１と横中心基線Ｙとの交点を開口中心とする縦長楕円状の排便口１２を打ち抜き形成してあり、この排便口１２は前記縦中心基線Ｘ１を基準にして左右対称で且つ前記横中心基線Ｙを基準にして上下対称に形成してある。
【００２２】
図１に示した便座シート１は、便座に敷かれる前の折り畳み状態においては、前記縦中心基線Ｘ１を縦折れ線Ｌ１として二つ折りされ更に前記横中心基線Ｙを横折れ線Ｌ２として二つ折りされて図２．１又は図２．２に示すように四つ折り状態に折り畳まれており、この四つ折り状態に折り畳まれた便座シート１は、前記横シート縁辺３ａ，３ｂ側を上方に前記横折れ線Ｌ２側を下方にした配列状態で且つ前記段違い部形成用中間凹み部５側を手前に前記段違い部形成用中間凸部９側を奥にした配列状態（図２．１の配列状態）で配列された場合には、前記中間凹部縁辺４が該中間凹部縁辺の背後にある前記中間凸部縁辺８に対して低い段違い構造と成り、また、前記横シート縁辺３ａ，３ｂ側を上方に前記横折れ線Ｌ２側を下方にした配列状態で且つ前記段違い部形成用中間凸部９側を手前に前記段違い部形成用中間凹み部５側を奥にした配列状態（図２．２の配列状態）で配列された場合には、前記両端凹部縁辺１０が該両端凹部縁辺の背後にある前記両端凸部縁辺６に対して低い段違い構造と成る。そして、この配列状態で便座シート１を吊り下げる場合に機能する吊り下げ用貫通孔１３を前記段違い部形成用中間凸部９の前記第２縦中心基線Ｘ２上の前記中間凸部縁辺８の頂部辺８ａの近くに形成してある。
【００２３】
図３．１及び図３．２は図２．１及び図２．２に示した折り畳み便座シートを取出し容器１４にそれぞれ収容した状態を示している。この取出し容器１４は、背景技術で述べた公知のもので、多数重ねられた四つ折りされた折り畳み便座シートを容器１４内に設けた吊り下げ用ピン（図示せず）に前記吊り下げ用貫通孔１３を通して容器１４内に吊り下げで収容し、この容器の前面上部に形成された横長の取出し口１５から便座シートを一枚ずつ取り出して使用できるようにしている。この容器１４内に吊り下げ収容された折り畳み便座シートは、前記中間凹部縁辺４を容器の取り出し口１５に臨ませて収容（図３．１の収容状態）され、又は前記両端凹部縁辺１０を容器の取り出し口１５に臨ませて収容（図３．２の収容状態）され、取出し口１５に臨ませた前記中間凹部縁辺４又は前記両端凹部縁辺１０を摘んで一枚ずつ容易に取り出せるようにしている。
【００２４】
また、図４．１及び図４．２は図１の便座シートの便座敷設前の二つ折り折り畳み状態をそれぞれ他面側から看た状態を示し、図５．１及び図５．２は二つ折りされた図４．１及び図４．２の折り畳み便座シートを横幅の長い取出し容器にそれぞれ収容した状態を示している。この二つ折りの便座シートは、図１の前記横中心基線Ｙを横折れ線Ｌ２として二つ折り状態に折り畳んだもので、前記段違い部形成用中間凸部９の前記第２縦中心基線Ｘ２上に形成した前記吊り下げ用貫通孔１３は、前記縦中心基線Ｘ１に沿って二つ折りされないため横幅方向に離間されて形成される。その他の構成の説明は図１から図３で説明した構成と実質的に同じであるため省略する。
【図面の簡単な説明】
【００２５】
【図１】本発明の便座シートの展開状態を示す正面図である。
【図２．１】図１の便座シートの四つ折り状態を示す正面図である。
【図２．２】図１の便座シートの四つ折り状態を他面側から看た正面図である。
【図３．１】図２．１の便座シートを容器内に収容した状態を示す正面図である。
【図３．２】図２．２の便座シートを容器内に収容した状態を示す正面図である。
【図４．１】図１の便座シートの二つ折り状態を示す正面図である。
【図４．２】図１の便座シートの二つ折り状態を他面側から看た正面図である。
【図５．１】図４．１の便座シートを容器内に収容した状態を示す正面図である。
【図５．２】図４．２の便座シートを容器内に収容した状態を示す正面図である。
【図６．１】従来の便座シートの展開状態を示す正面図である。
【図６．２】図６．１の便座シートの四つ折り状態を示す正面図である。
【図７．１】従来の便座シートの展開状態を示す正面図である。
【図７．２】図７．１の便座シートの四つ折り状態を示す正面図である。
【符号の説明】
【００２６】
１  便座シート
Ｘ１  縦中心基線
Ｌ１  縦折れ線
Ｘ２  第２縦中心基線
Ｙ  横中心基線
Ｌ２  横折れ線
２ａ，２ａ  縦シート縁辺
３ａ，３ｂ  横シート縁辺
４  中間凹部縁辺
４ａ  中間凹部縁辺の底部辺
４ｂ  中間凹部縁辺の両側部辺
５  段違い部形成用中間凹み部
６  両端凸部縁辺
６ａ  両端凸部縁辺の頂部辺
７  段違い部形成用両端凸部
８  中間凸部縁辺
８ａ  中間凸部縁辺の頂部辺
８ｂ  中間凸部縁辺の両側部辺
９  段違い部形成用中間凸部
１０  両端凹部縁辺
１０ａ  両端凹部縁辺の底部辺
１１  段違い部形成用両端凹み部
１２  排便口
１３  吊り下げ用貫通孔
１４  取出し容器
１５  取出し口
【図１】
2005081063.tif 000003
【図２．１】
2005081063.tif 000004
【図２．２】
2005081063.tif 000005
【図３．１】
2005081063.tif 000006
【図３．２】
2005081063.tif 000007
【図４．１】
2005081063.tif 000008
【図４．２】
2005081063.tif 000009
【図５．１】
2005081063.tif 000010
【図５．２】
2005081063.tif 000011
【図６．１】
2005081063.tif 000012
【図６．２】
2005081063.tif 000013
【図７．１】
2005081063.tif 000014
【図７．２】
2005081063.tif 000015